(57)【要約】【課題】  出入口に取付られるドアがドア枠に対し、正しい位置にあるように微調整ができるようにする。【解決手段】  ドア２を支える上方のピボットヒンジ１のドア側のトップピボット１２は、トップピボット本体１５とベース１６より成っている。このベース１６とトップピボット本体１５とに調整ねじ３０を設ける。この調整ねじ３０の回動で両者間の相対位置を変化させる。そして、トップピボット本体１５とベース１６とは、固定ねじ３２，３３により締め付けて固定する。【選択図】        図１
2006161490.tif 000002
【特許請求の範囲】
【請求項１】
ドア枠に固定の枠側トップピボットに回転支軸を介して回動自在に取付られるドア側のトップピボットより成る上方のピボットヒンジにおいて、
前記ドア側のトップピボットは、トップピボット本体と、ドアに固着され、前記トップピボット本体に相対位置が変化されるベースと、
このベースを前記トップピボット本体に対し相対位置を変化させる調整ねじと、
前記トップピボット本体と前記ベースとを固定させるねじとより成ることを特徴とするピボットヒンジ。
【請求項２】
前記トップピボット本体に、前記固定ねじが挿通する段付の長孔が形成されたことを特徴とするピボットヒンジ。
【請求項３】
前記ベースには、前記固定ねじが螺合する螺子孔を備えたことを特徴とするピボットヒンジ。
【請求項４】
前記トップピボット本体には、その長手方向に前記調整ねじが螺合する螺子孔を有することを特徴とするピボットヒンジ。
【発明の詳細な説明】
【技術分野】
【０００１】
この発明は、ドアの取付位置を調整可能とするピボットヒンジに関する。
【背景技術】
【０００２】
扉支持用のピボットヒンジにあって、扉をドア枠に固着した後に微調整することが近年要求されるようになってきている。例えばドア枠にゴムパッキンを設置した遮音ドアや、導電性部材が被覆のパッキンを設置した電磁シールドドアでは、該パッキンに扉面が確実に当接する必要がある。しかし、当接不都合があった場合に、ドアをドア枠からはずして再度取付修正をしたり、また工具でこじったりして修正を図っていた。
【０００３】
このような要請のため、特許文献１及び２で示すような発明が提案されている。特許文献１及び２で示す発明は、建物の上枠に取付られた上枠側トップピボットから下向きに突出する枢支軸を、扉の上端に取付られた扉側トップピボットの軸受け部材の孔部８に嵌入させて支持している。
【特許文献１】特開平１０−３１１１７４
【特許文献２】特開平１１−１８２１２１
【０００４】
そして、扉が出入口に正しく収まるように、前記枢支軸と嵌合する軸受け部材７の孔部８の位置を調整するための調整機構を備え、調整ねじ１６を回すことにより、軸受け部材７を摺動させ調整している。そしてこの調整ねじ１６の緩みをなくすため、特許文献１にあっては、調整ねじ１６の頭部を押しつけるビス１８を設けているし、特許文献２にあっては、緩み止め用ばね１９を設けている。
【発明の開示】
【発明が解決しようとする課題】
【０００５】
前記両特許文献１及び２にあっては、扉の回動時に、扉の回動を支える孔部８に大きな力が加わる。そのため、ビスやばねでは充分なる調整ねじの回り止めとはならず、該調整ねじが緩み、扉が出入口に対し正しい位置からずれる不都合が生じるおそれがあった。
【０００６】
そこで、この発明は上記不都合に鑑み、ドア枠（出入口）に取付後にドアの調整が出来ると共に、その位置が確実に固定できるようにしたピボットヒンジに関するものである。
【課題を解決するための手段】
【０００７】
上記課題を達成するため、この発明に係るピボットヒンジは、ドア枠に固定の枠側トップピボットに回転支軸を介して回動自在に取付られるドア側のトップピボットより成る上方のピボットヒンジにおいて、前記ドア側のトップピボットは、トップピボット本体と、ドアに固着され、前記トップピボット本体に相対位置が変化されるベースと、このベースを前記トップピボット本体に対し相対位置を変化させる調整ねじと、前記トップピボット本体と前記ベースとを固定させるねじとより成ることにある（請求項１）。これにより、ドアを出入口に取付後に、ドア枠に設けられたゴムパッキン、導電性パッキンにドアを確実に当接させるため、調整作業を行う必要がある場合には、まず、固定ねじを緩め、それから、調整ねじを回動する。すると、トップピボット本体とベースとの相対位置が変化され、それによりドアの取付位置が変化される。適切な位置にドアが移動されたら、固定ねじを締付けてトップピボット本体とベースを確実に固定する。
【０００８】
前記トップピボット本体に、前記固定ねじが挿通する段付の長孔が形成され（請求項２）、また前記ベースには、前記固定ねじが螺合する螺子孔を備えている（請求項３）。さらに、前記トップピボット本体には、その長手方向に前記調整ねじが螺合する螺子孔を有している（請求項４）。
【発明の効果】
【０００９】
以上のように、この発明によれば、固定ねじを緩めて調整ねじを回動すれば、ドアの取付位置を微調整ができる。そして、再び固定ねじを締付ければ確実にドア側のベースと固定されることから、ドアの回動の振動にもドア位置は変化されることはない。このように、微調整ができることにより、遮音ドアや、電磁シールドドアにおける枠に密着させる調整に有効である。
【発明を実施するための最良の形態】
【００１０】
以下、この発明の実施例を図面により説明する。
【実施例１】
【００１１】
図１乃至図３において、この発明に係る上方のピボットヒンジ１が示され、図４において、このピボットヒンジ１が用いられているドア２が出入口３に配された状態が示されている。まずピボットヒンジ１が用いられる図４から説明すると、建物の出入口２にドア枠５が嵌め込まれ、このドア枠５内にドア２が上方のピボットヒンジ１及び、アーム７と床面軸座８より成る下方のピボットヒンジ９により支えられている。
【００１２】
前記ピボットヒンジ１は、枠側のトップピボット１１と、ドア側のトップピボット１２より成り、前記トップピボット１１はねじ１３にて上方の枠５に取付られている。このトップピボット１１の先端は折曲され、前記枠５より外方へ突出し、その先端部に下記する回転支軸２２が挿入される挿入孔１４が穿たれている。
【００１３】
ドア側のトップピボット１２は、図２，図３にも示され、トップピボット本体１５とベース１６とより成り、該トップピボット本体１３は、基部側がドア２の上端に沿う形状で、中央に上下方向に貫通する２つの段付の長孔１７，１８が穿設されている。この長孔１７，１８は、経の異なる２つの長孔の連続で、上方部位１７ａ，１８ａが下方部位１７ｂ，１８ｂよりも大きく、接続点に段部１９，１９を有している。また前記長孔１７，１８の前記下方部位は、下記する固定ねじ３２，３３の経よりも短手方向では同一又はそれよりも多少大きく、長手方向では経の２倍程の長さとなっている。
【００１４】
また、トップピボット本体１５の基部側の端面に下記する調整ねじ３０が螺合する螺子孔２１が長手方向に穿設されている。さらに、このトップピボット本体１５の先端は折曲され、その先端部に上方へ回転支軸２２が突出している。２３はキャップである。
【００１５】
ベース１６は、前記トップピボット本体１５の基部の下端に添って設けられるもので、Ｌ字状をなし、平面部１６ａには、ドア２に固着のための４個のねじ２４が挿入される４つの孔２５が穿たれている。また、平面部１６ａには、下記する固定ねじ３２，３３が螺合する螺子孔２７，２８が設けられている。  それから、前記平面部から折曲された立ち上り部１６には、上下方向に溝２６が形成され、該溝２６内には、下記する調整ねじ３０が挿入される。
【００１６】
調整ねじ３０には、頭部３０ａと軸部３０ｂと、その軸部３０ｂに設けられたフランジ部３０ｃとより成り、前記したトップピボット本体１５の螺子孔２１に螺合すると共に、頭部３０ａとフランジ部３０ｃとの間の軸部３０ｂを前記溝２６内に挿入している。
【００１７】
固定ねじ３２，３３は、大径のワッシャ３４が取付られており、前記した長孔１７，１８内に挿入されると、前記ワッシャ３４が前記段部１９に係合すると共に、固定ねじは前記ベース１６の螺子孔２７に螺合している。この固定ねじ３２，３３を締め付けるとベース１６に固着される。そして逆に緩めると、トップピボット本体１５が前記ベース１６との相対位置である長手方向及び短手方向を変化させることができる。即ち、ドア２の取付位置の枠に対して微調整が可能となる。これにより、遮音ドア、電磁シールドドアの枠に対する密着微調整に有効となる。
【図面の簡単な説明】
【００１８】
【図１】この発明のトップピボットの斜視図である。
【図２】同上のドアに取付られた状態の断面図である。
【図３】この発明のトップピボットの分解斜視図である。
【図４】ドアがこの発明に係るトップピボットを用いてドアを出入口に取付た状態の説明図である。
【符号の説明】
【００１９】
１  上方のピボットヒンジ
２  ドア
３  出入口
５  ドア枠
７  アーム
８  床面軸座
９  下方のピボットヒンジ
１１  枠側トップピボット
１２  ドア側トップピボット
１５  トップピボット本体
１６  ベース
１７  長孔
１８  長孔
１９  段部
２１  螺子孔
２２  回転支軸
２６  溝
２７  螺子孔
２８  螺子孔
３０  調整ねじ
３２  固定ねじ
３３  固定ねじ
【図１】
2006161490.tif 000003
【図２】
2006161490.tif 000004
【図３】
2006161490.tif 000005
【図４】
2006161490.tif 000006